(57)【要約】【課題】比較的規模の小さい河川や用水路、小川等に浮かべて水の流れを利用して発電すると共に充電式電池に充電を行なう小型水力発電及び充電装置を提供する。【解決手段】水の流れる場所に浮かべて水の流れを利用して発電する小型水力発電及び充電装置１０であって、羽根車１１と、羽根車に連結され、羽根車の回転によって発電する発電機１２と、使用状態で見て発電機を上部に備える発電機支持部１３とを有し、発電機支持部は、その一部にフロート１３０を有し、水に浮かべた状態で発電機を水面よりも上側に位置させると共に羽根車の少なくとも一部を水の中に位置させる浮力を有しており、使用中に水の流れに抗してこれを一定の場所に位置させる係留手段１７０と発電機によって発生した電力を充電式電池に充電する充電手段１８０を更に備え、充電手段は、充電式電池をこれから着脱可能な構造を有している。【選択図】図１
2018003781.tif 000002
【特許請求の範囲】
【請求項１】
水の流れる場所に浮かべて前記水の流れを利用して発電する小型水力発電及び充電装置であって、
羽根車と、前記羽根車に連結され、羽根車の回転によって発電する発電機と、使用状態で見て前記発電機を上部に備える発電機支持部とを有し、
前記発電機支持部は、その一部にフロートを有し、水に浮かべた状態で前記発電機を水面よりも上側に位置させると共に前記羽根車の少なくとも一部を水の中に位置させる浮力を有しており、
前記小型水力発電及び充電装置は、当該水力発電機の使用中に水の流れに抗してこれを一定の場所に位置させる係留手段を更に備えると共に、前記発電機によって発生した電力を充電式電池に充電する充電手段を更に備え、
前記充電手段は、前記充電式電池をこれから着脱可能な構造を有していることを特徴とする小型水力発電及び充電装置。
【請求項２】
前記フロート部にはその少なくとも一部に使用済みのペットボトルが用いられるとともに、前記小型水力発電及び充電装置の使用状態で見て当該小型水力発電及び充電装置の下側を流れる水の流れを上下方向に対して整流する整流板がこの小型水力発電及び充電装置の上流側に備わることを特徴とする請求項１に記載の小型水力発電及び充電装置。
【発明の詳細な説明】
【技術分野】
【０００１】
本発明は、比較的規模の小さい河川や用水路、小川等に浮かべて水の流れを利用して発電すると共に充電式電池に充電も行なうことが可能な小型水力発電及び充電装置に関する。
【背景技術】
【０００２】
従来から川に浮かべて水の流れを利用して水車を回転させて発電する水力発電装置が知られている（例えば、特許文献１参照）。係る発電装置は、一対の筏を組んでこの筏に水車を固定する台を設け、これに水車と連動する軸及び倍速歯車を介して回転する発電機を備えている。
【先行技術文献】
【特許文献】
【０００３】
【特許文献１】特開平８−２１０２３９号公報
【発明の概要】
【発明が解決しようとする課題】
【０００４】
係る従来技術に関する水力発電装置は、筏を用いるという大がかりで構造が複雑である上、発電された電力を単に送電するだけの機能となっている。即ち、比較的規模の小さい河川や用水路、小川等に浮かべて水の流れを利用して発電するのに適していない。また、一旦発電された電力を効率的に充電する充電機構を有していない。そのため、一旦発電された電力を多数のバッテリーにそれぞれ充電させることはできない。また、川の流れの勢いに対してこれを適当に受け流す手段を有していないため、川が勢い良く流れる場合、筏の上側に設けた台及びこれに備わった発電装置を川の水面下に沈んで装置自体が作動しなくなる虞がある。
【０００５】
本発明の目的は、比較的規模の小さい河川や用水路、小川等に浮かべて水の流れを利用して発電すると共に充電式電池に充電を行なうのに適した小型水力発電及び充電装置を提供することにある。
【課題を解決するための手段】
【０００６】
上記目的を達成するために本発明の請求項１に係る小型水力発電及び充電装置は、
水の流れる場所に浮かべて前記水の流れを利用して発電する小型水力発電及び充電装置であって、
羽根車と、前記羽根車に連結され、羽根車の回転によって発電する発電機と、使用状態で見て前記発電機を上部に備える発電機支持部とを有し、
前記発電機支持部は、その一部にフロートを有し、水に浮かべた状態で前記発電機を水面よりも上側に位置させると共に前記羽根車の少なくとも一部を水の中に位置させる浮力を有しており、
前記小型水力発電及び充電装置は、当該水力発電機の使用中に水の流れに抗してこれを一定の場所に位置させる係留手段を更に備えると共に、前記発電機によって発生した電力を充電式電池に充電する充電手段を更に備え、
前記充電手段は、前記充電式電池をこれから着脱可能な構造を有していることを特徴としている。
【０００７】
また、本発明の請求項２に係る小型水力発電及び充電装置は、請求項１に記載の小型水力発電及び充電装置において、
前記フロート部にはその少なくとも一部に使用済みのペットボトルが用いられるとともに、前記小型水力発電及び充電装置の使用状態で見て当該小型水力発電及び充電装置の下側を流れる水の流れを上下方向に対して整流する整流板がこの小型水力発電及び充電装置の上流側に備わることを特徴としている。
【発明の効果】
【０００８】
本発明によると、比較的規模の小さい河川や用水路、小川等に浮かべて水の流れを利用して発電すると共に充電式電池に充電を行なうのに適した小型水力発電及び充電装置を提供することができる。
【図面の簡単な説明】
【０００９】
【図１】本発明の一実施形態に係る小型水力発電及び充電装置の平面図である。
【図２】図１に示した小型水力発電及び充電装置の側面図である。
【図３】図１に示した小型水力発電及び充電装置の正面図である。
【図４】図１に示した小型水力発電及び充電装置の電気回路を示すブロック図である。
【図５】本発明の一実施形態の変形例に係る小型水力発電及び充電装置の平面図である。
【図６】図５に示した小型水力発電及び充電装置の側面図である。
【発明を実施するための形態】
【００１０】
以下、本発明の一実施形態に係る小型水力発電及び充電装置（小型水力発電・充電装置）について説明する。なお、図面における各部材の形状、大きさ、寸法は、説明の便宜上一例として挙げたものであり、これに限定されるものではない。
【００１１】
図１は、本発明の一実施形態に係る小型水力発電及び充電装置の平面図である。また、図２は、図１に示した小型水力発電及び充電装置の側面図である。また、図３は、図１に示した小型水力発電及び充電装置の正面図である。なお、以下の説明において「上下方向や上側、下側」については、各実施形態に係る小型水力発電及び充電装置を例えば川の水面に浮かべた状態を基準として表すものとする。また、「上流側、下流側」についても、各実施形態に係る小型水力発電及び充電装置を例えば川の水面に浮かべた状態を基準として表すものとする。また、小型水力発電及び充電装置の各構成要素のうち、寸法及び形状、材質が同一のものについては、同一の符号を付すこととする。また、小型水力発電及び充電装置の各構成要素は、ボルトやナットなどの公知の締結手段などを用いて互いに固定され、必要な箇所には防水用のシールパッキンが用いられているが、これらの公知の手段のためその説明を省略する。
【００１２】
なお、図１及び図２における白抜きの矢印ＷＦは、川の水の流れの方向を示している。つまり、図１及び図２においては、川の水が図中右側から左側に流れるようになっている。
【００１３】
本発明の一実施形態に係る小型水力発電及び充電装置（以下、単に「小型水力発電及び充電装置」とする）は、比較的規模の小さい河川や用水路、小川等の水の流れる場所に浮かべて水の流れを利用して発電すると共に充電式電池に充電も行なうことが可能な小型水力発電及び充電装置である。
【００１４】
小型水力発電及び充電装置１０は、羽根車１１と、羽根車１１に連結され、羽根車１１の回転によって発電する発電機１２（１２１，１２２）と、発電機１２を支持する発電機支持部１３を有している。
【００１５】
発電機支持部１３は、小型水力発電及び充電装置１０を川などの水に浮かべて使用した状態で見て発電機１２を上部に備える。
【００１６】
発電機支持部１３は、２つのフロート部１３０と、各フロート部１３０を連結する２枚のデッキプレート１４０，１５０と、２枚のデッキプレート１４０，１５０の両端にそれぞれ接続された接続板１３９から構成されている。
【００１７】
２つのフロート部１３０は、互いに同等の構成を有している。各フロート部１３０は、本実施形態ではポリプロピレン（ＰＰ）でできた断面矩形状のパイプ部１３１と、パイプ部１３１の両端に挿入され抜けないようにパイプ部１３１に周面がしっかりと固定された２つのペットボトル１３２と、パイプ部１３１の内部空間を満たすように各ペットボトル間に挿入された発泡スチロール１３３とから構成されている。なお、ペットボトル１３２は、いわゆる使用済みのペットボトルで内部が空気で満たされ、キャップがしっかりとしまって内部の空気がペットボトルの外側に漏れないようになっている。また、２つのペットボトル１３２は、例えば金属製の接続板１３４を介してデッキプレート１４０，１５０を挟む形で接続されている。
【００１８】
２つのフロート部１３０は、これが合わさって小型水力発電及び充電装置１０を川の水に浮かべた状態で後述する発電機を水面（図２におけるウォーターラインＷＬ参照）よりも上側に位置させると共に後述する羽根車１１の少なくとも一部を水の中に位置させる浮力を有している。
【００１９】
なお、上述した構成のようにパイプ部１３１の両端部側に挿入固定された２つのペットボトル１３２の間に発泡スチロール１３３を入れる代わりに、内部が空気で満たされたペットボトル１３２を直列に連結して固定配置しても良い。
【００２０】
２本のパイプ部１３１は、互いに平行となって所定間隔を保つように２枚のデッキプレート１４０，１５０で連結されている。デッキプレート１４０，１５０は、上流側デッキプレート１４０と下流側デッキプレート１５０からなる。各デッキプレート１４０，１５０は、本実施形態の場合、強度を充分に保つ程度の厚さの薄いアルミニウム合金の板材と樹脂の複合板でできているが、この代わりにアルミニウム合金のみでできた板材若しくは樹脂の板材でできていても良い。また、上述したように２枚のデッキプレート１４０，１５０の両端は、ある程度厚みがあり細長の金属板からなる接続板１３９で連結されている。
【００２１】
上流側デッキプレート１４０は、その板材長手方向端部が、パイプ部１３１の一方の端部側（小型水力発電及び充電装置の使用状態において水の流れＷＦの上流に位置する側）の上面に固定されている。一方、下流側デッキプレート１５０は、その板材長手方向端部が、パイプ側の他方の端部側（小型水力発電及び充電装置の使用状態において水の流れＷＦの下流に位置する側）の上面に固定されている。
【００２２】
上流側デッキプレート１４０は、互いに所定幅を有する平面視長方形の連結板１４１と整流板１４２からなり、連結板１４１の両端部が各フロート部１３０の上面に固定され、整流板１４２は、その下流側の一部が連結板１４１とパイプ部１３１の上面との間に挟まれている。整流板１４２は、連結板１４１よりも幅広の例えば金属板材を幅方向全体に亘ってある程度の角度をなして折り曲げて形成されている。より具体的には、整流板１４２は、連結板１４１の上流側縁部から所定の角度をなして上方に折れ曲がって形成されている。整流板１４２は、小型水力発電及び充電装置１０の使用状態において、上流からの水の流れＷＦを連結板１４１及びこれと重なる整流板１４２の水平部分の下方に流し込み、その後、その水の流れＷＦを各フロート部１３０の長手方向に沿って整流する役目を果たしている。
【００２３】
つまり、小型水力発電及び充電装置１０に整流板１４２が備わることで、小型水力発電及び充電装置１０の使用中にこの下側を流れる水の流れを上下方向に対して整流する。その結果、川の流れの勢いが良い場合であっても発電機に水しぶきや水がかかるのを防止することができる。また、小型水力発電及び充電装置１０が整流板１４２を有することによって、その使用中に上流側からの水の流れＷＦが連結板１４１の上側を通過して小型水力発電及び充電装置１０の上流側が水中に沈み込むのを防止し、小型水力発電及び充電装置１０が水面に対して常に好ましい状態で浮いているようにする役目を果たしている。
【００２４】
小型水力発電及び充電装置１０に備わる２つの発電機１２１，１２２（１２）は、それぞれ上流側デッキプレート１４０と下流側デッキプレート１５０に取り付けられている。この取り付けには、側面視Ｌ字型の取り付けブラケット１６０が用いられている。各取り付けブラケット１６の水平延在部１６１は、それぞれ上流側デッキプレート１４０の連結板１４１と下流側デッキプレート１５０の長手方向略中央部に取り付けられ、各発電機１２１，１２２が取り付けブラケット１６０の垂直延在部１６２の下流側の面に取り付けられている。これによって、各発電機１２１，１２２が小型水力発電及び充電装置１０の幅方向ほぼ中央に配置され、小型水力発電及び充電装置１０が水面に安定したバランスを保ちながら浮かぶようになっている。
【００２５】
各発電機１２１，１２２の出力軸には、ここでは詳細に説明しない公知のカップリング手段を介して羽根車１１１，１１２（１１）が取付けられている。羽根車１１は、本実施形態の場合、アルミかプラスチックでできている。そして、図２に示すように、羽根車１１の回転中、回転中心より下側にある羽根がウォーターラインＷＬより下側、つまり水面下に位置するようになっている。これによって、小型水力発電及び充電装置１０の使用中、水の流れＷＦを羽根車１１１，１１２の回転中心の下側の羽根１１１ａ，１１２ａのみ受けて、水の流れＷＦに応じて羽根車１１が常に一定方向に回転するようになっている。
【００２６】
小型水力発電及び充電装置１０は、実際の使用中に水の流れＷＦに抗して一定の場所に位置させる係留手段１７０を更に備える。係留手段１７０は、２本の係留ロープ１７１，１７２を有している。そして、連結板１４１のフロート部１３０との連結部の近傍の下面には２本の係留ロープ１７１，１７２のそれぞれの一端が接続されている。２本の係留ロープ１７１，１７２の他端は、川や用水路の周囲につなぐことで小型水力発電及び充電装置１０が水の流れＷＦに抗して所定の位置に浮かんでいることを可能にしている。
【００２７】
小型水力発電及び充電装置１０は、発電機１２によって発生した電力を充電式電池に充電する発電・充電用電気回路ユニット１８０を備えている。そして、発電・充電用電気回路ユニット１８０は、例えば市販され入手容易な１．５ボルトの充電式電池を複数本同時にまた個別に着脱可能な構造を有している。この発電・充電用電気回路ユニット１８０に関連して小型水力発電及び充電装置１０の電気回路について以下に説明する。
【００２８】
図４は、図１に示した小型水力発電及び充電装置の電気回路を示すブロック図である。電気回路は、サージアブソーバー回路と、整流回路と、電圧安定回路と、ＮＩ−ＭＨ電池充電回路を備えている。電気回路は、小型水力発電及び充電装置１０の発電機１２に一端が接続された電線の他端に接続され、小型水力発電及び充電装置１０が浮かぶ川や用水路の周囲の近傍エリアに設置された発電・充電用電気回路ユニット１８０に備わっている。なお、上述の電気回路のうち、一部の電気回路が発電機側に備わっていても良い。
【００２９】
図４に示す各電気回路に関して、サージアブソーバー回路は、小型水力発電及び充電装置に備わる電気機器のオンオフや落雷によって発生する過渡的な異常高電圧（サージ電圧）を吸収する役目を果たす。また、整流回路は、発電機によって生じた交流を直流に変換する役目を果たす。また、電圧安定回路は、水流の変化による発電機の回転数に基づく出力電圧や電流を、本実施形態の場合、１２ボルトという一定電圧に自動調整する役目を果たす。ＮＩ−ＭＨ電池充電回路は、本実施形態の場合、例えば一般に市販され入手容易な１．５ボルトのＮＩ−ＭＨ（ニッケル水素）電池やＮｉ−ＣＤ（ニッカド）電池に１度に複数本充電する役目を果たしている。即ち、ＮＩ−ＭＨ電池充電回路は、充電式電池を充電する発電・充電用電気回路ユニット１８０に備わり、市販のニッケル水素電池やニッカド電池を充電用電池装着部１８１に装着し、小型水力発電及び充電装置でフル充電した後、このニッケル水素電池やニッカド電池を取り外して、新たに充電すべきニッケル水素電池やニッカド電池を取り付けるようになっている。
【００３０】
続いて、上述した構成をする小型水力発電及び充電装置１０の実際の使用方法と作用について説明する。なお、以下の説明においては、水の流れ方向に相当する全長が約９００ｍｍ、これと直交する幅方向が約５００ｍｍ、フロート部の一部として使用するペットボトルが７２０ｍｌ、２つの発電機の発電スペックは、電圧６ボルト、電力２．４ワットを備えた１人で持ち運び可能な大きさの小型水力発電及び充電装置１０を使用した場合について説明する。
【００３１】
最初に上記寸法の水力発電機１０をこれの使用に適する規模と水の流れを有する川や用水路に浮かべる。この際、係留ロープ１７１，１７２を用いて川や用水路の周囲につなげて小型水力発電及び充電装置１０が水面ＷＬの所定のエリアに浮かんでいるようにする。これによって、２つの羽根車１１１，１１２が水の流れＷＦに応じて回転し、これに伴って２つの発電機１２１，１２２がそれぞれ発電を始める。発電された電気は、電線を介して川や用水路の周囲に置いた発電・充電用電気回路ユニット１８０の充電用電池装着部１８１に電力を供給する。本実施形態の場合、充電用電池装着部１８１によって、それぞれが６ボルトの電圧を発電する２つの発電機１２１，１２２の発電量を合わせて市販品で安く手軽に入手できる１２ボルトの電圧を例えば１．５ボルトの市販のニッケル水素電池やニッカド電池の場合、一度に複数本充電することができる。
【００３２】
上述したように発電・充電用電気回路ユニット１８０の充電用電池装着部１８１に、予め充電すべきニッケル水素電池やニッカド電池を取り付けておく。そして、しばらく時間をおいてこれらの電池の充電作業が終わったら取り外し、新たに充電すべきニッケル水素電池やニッカド電池を取り付け、これらの充電作業を繰り返し行う。
【００３３】
川や用水路の水の流れは途絶えることがないので、時間のある限りこれらの充電式電池を次々と充電することができる。そのため、充電すべき電池を多数用意しておいてまとめて充電し、これらの充電式電池を使用したい人に提供することができる。もちろん、小型水力発電及び充電装置によって発電した電力を用いて、その近くに設置した消費電力の少ないＬＥＤライトを備えた電灯を夜間常時点灯させて、防犯面に役立たせるような使用方法をとっても良い。
【００３４】
なお、小型水力発電及び充電装置１０には、その上流側に整流板１４２を備えているので、風の強い日や雨が降った後で水嵩が増すと共に水の流れが早くなった場合であっても、２枚のデッキプレート１４０，１５０の下側を常に水が流れるようになり、発電機１２が水をかぶるのを防止できる。
【００３５】
また、上述した構造からも明らかなように、単純な構造でコストが安く入手することができる。かつ重量も軽いので携帯が楽であり、川や用水路の近くを歩き回って発電に最も適した場所を見つける際に、身体に負担をかけずに行うことができる。
【００３６】
そのため、例えば自治体が小型水力発電及び充電装置及びこれによって充電できる電池を多数購入して保管しておき、近年懸念されている大地震等の災害時に電力供給などのインフラが機能しなくなった地域にこれらを配布し、行政の担当者や被災者、ボランティアが何人かで複数の小型水力発電及び充電装置をそれぞれ適当な川や用水路に設置して充電式電池の充電作業を行い、避難所において長期にわたり避難している避難者にこれらの充電式電池を配ることができる。これによって、長期にわたる避難生活で身体的負担や精神的負担が大きくなった避難民の小型ラジオや携帯型音楽プレーヤー、携帯型ＬＥＤライトなどの電源として使用してもらい、避難所の負担を少しでも和らげるのに役立てることができる。
【００３７】
一方、このような災害時でなくても、例えば町内会の代表の人が上述したように多数の充電式電池を充電し、町内会の足腰が不自由になったような高齢者が暮らす住居にそれぞれ届け、住居内で使用する１２ボルト電源の必要な電気製品の電源として利用してもらうことも可能である。
【００３８】
続いて、本発明の上述の実施形態の変形例に係る小型水力発電及び充電装置（以下、単に「小型水力発電及び充電装置」とする）について、図面に基づいて説明する。なお、上述の実施形態に係る小型水力発電及び充電装置と同等の構成については、対応する符号を付して詳細な説明を省略する。
【００３９】
図５は、本発明の上述した実施形態の変形例に係る小型水力発電及び充電装置の平面図である。また、図６は、図５に示した小型水力発電及び充電装置の側面図である。小型水力発電及び充電装置２０は、上述の実施形態と同様に、羽根車２１と、羽根車２１に連結され、羽根車２１の回転によって発電する発電機２２と、発電機２２を支持する発電機支持部２３と、２本の係留ロープ２７０と、図５及び図６では図示しない発電・充電用電気回路ユニット１８０と、発電・充電用電気回路ユニット１８０と発電機２２の間をつなぐ電線（図示せず）を有している。
【００４０】
そして、発電機支持部２３は、小型水力発電及び充電装置２０を川などの水に浮かべて使用した状態で見て発電機２２を上部に備える点では上述の実施形態と共通するが、発電機支持部２３と、発電機２２と、発電機２２に備わる羽根車２１の構成が異なっている。この異なる構成についてのみ説明を続ける。
【００４１】
発電機支持部２３は、２つのフロート部２３０と、各フロート部２３０を連結する３枚のデッキプレート２４０，２５２，２５３から構成されている。デッキプレートは、上流側から見て第１のデッキプレート２４０、第２のデッキプレート２５２、第３のデッキプレート２５３からなる。そして、第１のデッキプレート２４０は、上述の実施形態と同様に連結板２４１と整流板２４２が互いに或る角度をなして折れ曲がった状態で備わっている。連結板２４１は、発電機２２を支持せず、各フロート部２３０のみの連結を行う役目を果たしている。
【００４２】
第２のデッキプレート２５２と第３のデッキプレート２５３の間は所定の間隔だけ隔たっており、各デッキプレート２５２，２５３の幅方向中央部で互いに対向する縁側の上面に上述の実施形態と同様の発電機固定ブラケット２６０がそれぞれ備わっている。発電機固定ブラケット２６０の垂直延在部２６２は、第２のデッキプレート２５２と第３のデッキプレート２５３の互いに向かい合う各縁部に沿って取り付けられ、それぞれの垂直延在部２６２に発電機２２１，２２２が互いに向かい合うように取り付けられている。
【００４３】
各発電機２２１，２２２の出力軸は、ここでは詳細に示さない連結シャフト及びカップリングを介して上述の実施形態よりも大型の１枚の羽根車２１に取付けられている。
【００４４】
即ち、本変形例に係る小型水力発電及び充電装置２０は、１枚の羽根車でその両側に連結された各発電機２２１，２２２のシャフトを回転させ、それぞれ６ボルトの電気を発電する２つの発電機２２１，２２２の発電量を合わせた１２ボルトの電気を発電・充電用電気回路ユニット１８０に電線を介して送るようになっている。
【００４５】
本変形例に係る小型水力発電及び充電装置２０がこのような構成を有することで、上述の実施形態に係る小型水力発電及び充電装置１０と同等の上述した作用を発揮することができる。
【００４６】
以上説明したように、本発明によると比較的規模の小さい河川や用水路、小川等に浮かべて水の流れを利用して発電すると共に充電式電池に充電を行なうのに適した小型水力発電及び充電装置を提供することができる。その結果、１台の小型水力発電及び充電装置があれば、川や用水路の水が流れている限りこれを利用して市販され入手容易な多数の充電式電池を短時間で充電することができ、充電済みの多数の充電式電池を必要な人に供給することができる。これによって、様々な地域コミュニティの中で有効なツールとして利用できると共に、大地震等の災害が発生して電気の供給などの重要なインフラが長期に亘って機能しなくなった場合に、被災者の避難生活にあたって非常に有用となる充電式電池を配り、放電した充電式電池を再度回収して充電して再び配り、長期の避難生活の間大切な生活用品として利用できる充電式電池を滞りなく提供することができる。
【００４７】
具体的には、この小型の水力発電及び充電装置を全国各地の地方自治体の様々な公共設備等に常時備えておくことで、例えばいつ何時起こるか分からない大地震が発生して電気の供給などのインフラが機能しなくなったような場合に、仮設住宅や公共設備等で過ごす避難生活者に充電式電池を継続的に提供することができる。その結果、継続的に提供する充電式電池を、避難生活において利用価値の極めて高いＬＥＤ式携帯電灯や携帯電話の電源、情報収集用としてのラジオや小型テレビの電源、小型のＤＶＤプレーヤーや音楽プレーヤー、パソコン等の電源として利用してもらうことができ、非常にメリットが大きい。
【００４８】
また、本発明に係る小型水力発電及び充電装置のフロート部の少なくとも一部に使用済みのペットボトルを用いることで、リサイクルを図り資源の有効活用を実現することができる。
【００４９】
また、本発明に係る小型水力発電及び充電装置の使用状態で見てこの小型水力発電及び充電装置の下側を流れる水の流れを上下方向に対して整流する整流板がこの小型水力発電及び充電装置の上流側に備わることで、川の流れの勢いが良い場合であっても発電機に水しぶきや水がかかるのを防止し、小型水力発電及び充電装置を長期に亘って使用可能とする。
【００５０】
なお、上述した実施形態及びその変形例は、あくまで本発明の一例を示すもので、本発明の範囲を逸脱しなければ上述のような寸法、材質、形状に本発明を限定する必要はなく、適宜設計変更を可能とすることは言うまでもない。
【符号の説明】
【００５１】
１０，２０    小型水力発電及び充電装置
１１（１１１，１１２）    羽根車
１２（１２１，１２２）    発電機
１３    発電機支持部
１６    取り付けブラケット
１７（１７１，１７２）    係留手段
２１    羽根車
２２（２２１，２２２）    発電機
２３    発電機支持部
１３０    フロート部
１３１    パイプ部
１３２    ペットボトル
１３３    発泡スチロール
１３４    接続板
１４０    デッキプレート
１４１    連結板
１４２    整流板
１５０    デッキプレート
１６１    水平延在部
１６２    垂直延在部
１８０    発電・充電用電気回路ユニット
１８１    充電用電池装着部
２３０    フロート部
２４０    デッキプレート
２４１    連結板
２４２    整流板
２５２，２５３    デッキプレート
２６０    発電機固定ブラケット
２６２    垂直延在部
２７０    係留ロープ
ＷＦ    水の流れ
ＷＬ    ウォーターライン
【図１】
2018003781.tif 000003
【図２】
2018003781.tif 000004
【図３】
2018003781.tif 000005
【図４】
2018003781.tif 000006
【図５】
2018003781.tif 000007
【図６】
2018003781.tif 000008